(57)【要約】【課題】  群管理される複数台の既設エレベータに順次リニューアル工事を行う際に、既設エレベータと新設エレベータとが混在した状態であっても、簡易な構成で、既設エレベータと新設エレベータとを連動させた運用を可能とするエレベータの連動制御装置および連動制御方法を提供する。【解決手段】  実施形態によればエレベータの連動制御装置は、既設乗場釦が押下されると駆動する第１の電源リレーと、新設乗場釦が押下されると駆動する第２の電源リレーと、第１の釦入力回路と、第２の釦入力回路とを備える。第１の釦入力回路は、第１の電源リレーまたは第２の電源リレーが駆動されると既設制御盤と導通させる。第２の釦入力信号回路は、第１の電源リレーまたは第２の電源リレーが駆動されると新設制御盤と導通させる。【選択図】図２
2016222407.tif 000002
【特許請求の範囲】
【請求項１】
建物内の複数台のエレベータの中の、リニューアル工事前の既設エレベータが有する既設制御盤および既設乗場釦と、リニューアル工事済みの新設エレベータが有する新設制御盤および新設乗場釦とに接続されたエレベータの連動制御装置において、
前記既設乗場釦が押下されると駆動する第１の電源リレーと、
前記新設乗場釦が押下されると駆動する第２の電源リレーと、
前記第１の電源リレーまたは前記第２の電源リレーが駆動されると、前記既設制御盤と導通させる第１の釦入力回路と、
前記第１の電源リレーまたは前記第２の電源リレーが駆動されると、前記新設制御盤と導通させる第２の釦入力回路と、
前記第１の釦入力回路により前記既設制御盤と導通したことにより前記既設制御盤から出力される応答灯点灯信号を検知すると駆動する第１の点灯リレーと、
前記第２の釦入力回路により前記新設制御盤と導通したことにより前記新設制御盤から出力される応答灯点灯信号を検知すると駆動する第２の点灯リレーと、
前記第１の点灯リレーまたは前記第２の点灯リレーが駆動されると、前記既設乗場釦に設置された応答灯を点灯させる第１の点灯回路と、
前記第１の点灯リレーまたは前記第２の点灯リレーが駆動されると、前記新設乗場釦に設置された応答灯を点灯させる第２の点灯回路と
を備えることを特徴とするエレベータの連動制御装置。
【請求項２】
建物内の複数台のエレベータの中の、リニューアル工事前の既設エレベータが有する既設制御盤および既設乗場釦と、リニューアル工事済みの新設エレベータが有する新設制御盤および新設乗場釦とに接続されたエレベータの連動制御装置において、
前記既設乗場釦が押下されると駆動する第１の電源リレーと、
前記新設乗場釦が押下されると駆動する第２の電源リレーと、
前記第１の電源リレーまたは前記第２の電源リレーが駆動されると、前記既設制御盤と導通させる第１の釦入力回路と、
前記第１の電源リレーまたは前記第２の電源リレーが駆動されると、前記新設制御盤と導通させる第２の釦入力回路と
を備えることを特徴とするエレベータの連動制御装置。
【請求項３】
建物内の複数台のエレベータの中の、リニューアル工事前の既設エレベータが有する既設制御盤および既設乗場釦と、リニューアル工事済みの新設エレベータが有する新設制御盤および新設乗場釦とに接続されたエレベータの連動制御装置において、
前記既設乗場釦が押下されたことにより前記既設制御盤から出力される応答灯点灯信号を検知すると駆動する第１の点灯リレーと、
前記新設乗場釦が押下されたことにより前記新設制御盤から出力される応答灯点灯信号を検知すると駆動する第２の点灯リレーと、
前記第１の点灯リレーまたは前記第２の点灯リレーが駆動されると、前記既設乗場釦に設置された応答灯を点灯させる第１の点灯回路と、
前記第１の点灯リレーまたは前記第２の点灯リレーが駆動されると、前記新設乗場釦に設置された応答灯を点灯させる第２の点灯回路と
を備えることを特徴とするエレベータの連動制御装置。
【請求項４】
前記既設乗場釦、前記新設乗場釦、および前記連動制御装置は、前記建物内の階床ごとに設置され、
前記既設制御盤と、各階床の前記既設乗場釦および前記連動制御装置とを接続する信号線それぞれの接続／切断を切り替える第１の切替装置と、
前記新設制御盤と、各階床の前記新設乗場釦および前記連動制御装置とを接続する信号線それぞれの接続／切断を切り替える第２の切替装置と
をさらに有することを特徴とする請求項１〜３いずれか１項に記載のエレベータの連動制御装置。
【請求項５】
建物内の複数台のエレベータの中の、リニューアル工事前の既設エレベータが有する既設制御盤および既設乗場釦と、リニューアル工事済みの新設エレベータが有する新設制御盤および新設乗場釦とに接続されたエレベータの連動制御装置が、
前記既設乗場釦が押下されると駆動する第１の電源リレー、または、前記新設乗場釦が押下されると駆動する第２の電源リレーが駆動されると、前記既設制御盤および前記新設制御盤と導通させ、
前記既設制御盤と導通したことにより前記既設制御盤から出力される応答灯点灯信号を検知すると駆動する第１の点灯リレー、または、前記新設制御盤と導通したことにより前記新設制御盤から出力される応答灯点灯信号を検知すると駆動する第２の点灯リレーが駆動されると、前記既設乗場釦に設置された応答灯および前記新設乗場釦に設置された応答灯を点灯させる
ことを特徴とするエレベータの連動制御方法。
【請求項６】
建物内の複数台のエレベータの中の、リニューアル工事前の既設エレベータが有する既設制御盤および既設乗場釦と、リニューアル工事済みの新設エレベータが有する新設制御盤および新設乗場釦とに接続されたエレベータの連動制御装置が、
前記既設乗場釦が押下されると駆動する第１の電源リレー、または、前記新設乗場釦が押下されると駆動する第２の電源リレーが駆動されると、前記既設制御盤および前記新設制御盤と導通させる
ことを特徴とするエレベータの連動制御方法。
【請求項７】
建物内の複数台のエレベータの中の、リニューアル工事前の既設エレベータが有する既設制御盤および既設乗場釦と、リニューアル工事済みの新設エレベータが有する新設制御盤および新設乗場釦とに接続されたエレベータの連動制御装置が、
前記既設乗場釦が押下されたことにより前記既設制御盤から出力される応答灯点灯信号を検知すると駆動する第１の点灯リレー、または、前記新設乗場釦が押下されたことにより前記新設制御盤から出力される応答灯点灯信号を検知すると駆動する第２の点灯リレーが駆動されると、前記既設乗場釦に設置された応答灯および前記新設乗場釦に設置された応答灯を点灯させる
を備えることを特徴とするエレベータの連動制御方法。
【発明の詳細な説明】
【技術分野】
【０００１】
本発明の実施形態は、エレベータの連動制御装置および連動制御方法に関する。
【背景技術】
【０００２】
従来、群管理される複数台のエレベータをリニューアルする場合には、１台あるいは数台ごとに順次リニューアル工事を行う。このとき、工事対象以外のエレベータは利用可能な状態とするため、既設エレベータと新設エレベータとが混在した状態で運用される場合がある。
【０００３】
既設エレベータと新設エレベータとでは、乗場呼び釦に関する制御方法、回路構成、回路電圧等が異なる場合がほとんどである。そのため、既設エレベータと新設エレベータとが混在している場合には、それぞれの動作が独立して制御される。例えば図１１に示すように既設乗場釦１１は既設制御盤１２に接続され、これとは別箇に新設乗場釦３１が新設制御盤３２に接続される。そして、既設乗場釦１１が操作され釦スイッチ１１１がＯＮ状態になったときには、既設制御盤１２の呼び登録部１２２に既設エレベータの呼びが登録されるとともに、点灯信号出力部１２４からの信号により既設乗場釦１１の応答灯１１２が点灯される。また、新設乗場釦３１が操作され釦スイッチ３１１がＯＮ状態になったときには、新設制御盤３２の呼び登録部３２２に新設エレベータの呼びが登録されるとともに、点灯信号出力部３２４からの信号により新設乗場釦３１の応答灯３１２が点灯される。
【先行技術文献】
【特許文献】
【０００４】
【特許文献１】特開平７−１５７２３４号公報
【発明の概要】
【発明が解決しようとする課題】
【０００５】
上述したように既設エレベータと新設エレベータとが独立して制御されると、これらを統括した群管理を行うことができず、運行効率が低下してしまう。そのため、既設エレベータと新設エレベータとで応答する階床を分担して運行させることがある。応答する階を分担することにより、運転効率をなるべく低下させずに運行を継続することができる。
【０００６】
しかしこのように応答階を分担する場合、各階の乗場釦のうち、使用させない（応答させない）エレベータの乗場釦は囲いやカバーで隠された状態としておくため、利用者の使い勝手を悪化させてしまうことがあるという問題があった。また、複数のエレベータに共通で用いられる乗場釦が設置され、この複数のエレベータのうち一部のエレベータおよび乗場釦が工事の対象となっている場合、工事対象外のエレベータを利用させるためには仮設の乗場釦を設置する必要があり、費用や手間がかかるという問題があった。
【０００７】
これらの問題を解決するため、既設エレベータの制御盤と新設エレベータの制御盤とに接続された連携制御盤を新たに設置し、双方の制御盤の間で連携した処理を行うことで、効率よくエレベータ群の運行制御を行う技術がある。
【０００８】
しかしこの技術を用いる場合には、既設エレベータの制御盤と新設エレベータの制御盤との両方に連携制御を行うための様々な信号の変換機能を組み込んだり、連携制御盤に専用のソフトウェアを搭載したりしなければならず、多大な手間がかかるという問題があった。
【０００９】
本発明は上記事情に鑑みてなされたものであり、群管理される複数台の既設エレベータに順次リニューアル工事を行う際に、既設エレベータと新設エレベータとが混在した状態であっても、簡易な構成で、既設エレベータと新設エレベータとを連動させた運用を可能とするエレベータの連動制御装置および連動制御方法の提供を目的とする。
【課題を解決するための手段】
【００１０】
上記目的を達成するための実施形態によればエレベータの連動制御装置は、既設乗場釦が押下されると駆動する第１の電源リレーと、新設乗場釦が押下されると駆動する第２の電源リレーと、第１の釦入力回路と、第２の釦入力回路とを備える。第１の釦入力回路は、第１の電源リレーまたは第２の電源リレーが駆動されると既設制御盤と導通させる。第２の釦入力信号回路は、第１の電源リレーまたは第２の電源リレーが駆動されると新設制御盤と導通させる。
【図面の簡単な説明】
【００１１】
【図１】第１実施形態による連動制御装置を利用したエレベータシステムの構成を示す全体図。
【図２】第１実施形態による連動制御装置を利用したエレベータシステムの構成を示すブロック図。
【図３】第１実施形態による連動制御装置を利用したエレベータシステムにおいて、既設乗場釦が操作されたときに動作を示すシーケンス図。
【図４】第１実施形態による連動制御装置を利用したエレベータシステムにおいて、新設乗場釦が操作されたときに動作を示すシーケンス図。
【図５】第２実施形態による連動制御装置を利用したエレベータシステムの構成を示すブロック図。
【図６】第２実施形態による連動制御装置を利用したエレベータシステムにおいて、既設乗場釦が操作されたときに動作を示すシーケンス図。
【図７】第３実施形態による連動制御装置を利用したエレベータシステムの構成を示すブロック図。
【図８】第３実施形態による連動制御装置を利用したエレベータシステムにおいて、既設乗場釦が操作されたときに動作を示すシーケンス図。
【図９】第４実施形態による連動制御装置を利用したエレベータシステムの構成を示す全体図。
【図１０】第４実施形態による連動制御装置を利用したエレベータシステムにおける応答階の設定の一例。
【図１１】従来のエレベータシステムの構成を示すブロック図。
【発明を実施するための形態】
【００１２】
以下、本発明の実施形態として、建物内に設置され群管理される３台のエレベータを１台ずつ順次リニューアル工事する場合を想定する。この場合に、１台が工事前の既設エレベータであり、他の１台が工事中であり、残りの１台が工事済みの新設エレベータであるときに、エレベータの連動制御装置を用いて既設エレベータと新設エレベータとを連携させて運用する例について説明する。
【００１３】
《第１実施形態》
〈第１実施形態による連動制御装置を利用したエレベータシステムの構成〉
本発明の第１実施形態による連動制御装置を利用したエレベータシステムの構成について、図１を参照して説明する。
【００１４】
本実施形態においてエレベータシステム１Ａは、建物内に設置された既設エレベータ１０と、工事中のエレベータ２０と、工事済みの新設エレベータ３０と、階床ごとに設置された連動制御装置４０Ａとを備える。既設エレベータ１０は、各階の乗場に設置された既設乗場釦１１と、各階の既設乗場釦１１に接続されて既設エレベータ１０内の機器の動作を制御する既設制御盤１２とを有する。新設エレベータ３０は、各階の乗場に設置された新設乗場釦３１と、各階の新設乗場釦３１に接続されて新設エレベータ３０内の機器の動作を制御する新設制御盤３２とを有する。既設制御盤１２および新設制御盤３２には、実際には各階床の連動制御装置４０Ａ、既設乗場釦１１、および新設乗場釦３１が接続されているが、図１においては説明を簡易にするために、所定階の連動制御装置４０Ａ、既設乗場釦１１、新設乗場釦３１のみが接続されている場合について示している。
【００１５】
既設乗場釦１１、既設制御盤１２、新設乗場釦３１、新設制御盤３２、連動制御装置４０Ａの詳細な構成、および接続状況を、図２を参照して説明する。
【００１６】
既設乗場釦１１は、利用者により押下されたときにＯＮ状態になる釦スイッチ１１１と、既設乗場釦１１を点灯させる応答灯１１２とを有する。新設乗場釦３１は、利用者により押下されたときにＯＮ状態になる釦スイッチ３１１と、新設乗場釦３１を点灯させる応答灯３１２とを有する。
【００１７】
既設制御盤１２は、釦スイッチ１１１がＯＮ状態になったときに形成される回路に電力を供給して導通させる釦入力電源部１２１と、釦スイッチ１１１，３１１がＯＮ状態になったことを検知すると当該階の乗場呼びを登録する呼び登録部１２２と、釦スイッチ１１１がＯＮ状態になったときに形成される回路のマイナス端子である釦入力コモン端子１２３と、呼び登録部１２２に乗場呼びが登録されると、該当する階床の応答灯１１２，３１２への点灯信号を出力する点灯信号出力部１２４と、応答灯１１２，３１２への点灯信号が出力されると応答灯１１２に電力供給する応答灯電源部１２５と、応答灯１１２が点灯されるときに形成される回路のマイナス端子である応答灯コモン端子１２６とを有する。釦入力コモン端子１２３は、各階の既設乗場釦１１の釦スイッチ１１１に共通して用いられ、応答灯コモン端子１２６は、各階の既設乗場釦１１の応答灯１１２に共通して用いられる。
【００１８】
新設制御盤３２は、釦スイッチ３１１がＯＮ状態になったときに形成される回路に電力を供給して導通させる釦入力電源部３２１と、釦スイッチ１１１，３１１がＯＮ状態になったことを検知すると当該階の乗場呼びを登録する呼び登録部３２２と、釦スイッチ３１１がＯＮ状態になったときに形成される回路のマイナス端子である釦入力コモン端子３２３と、呼び登録部３２２に乗場呼びが登録されると、該当する階床の応答灯１１２，３１２への点灯信号を出力する点灯信号出力部３２４と、応答灯１１２，３１２への点灯信号が出力されると応答灯３１２に電力供給する応答灯電源部３２５と、応答灯３１２が点灯されるときに形成される回路のマイナス端子である応答灯コモン端子３２６とを有する。釦入力コモン端子３２３は、各階の新設乗場釦３１の釦スイッチ３１１に共通して用いられ、応答灯コモン端子３２６は、各階の新設乗場釦３１の応答灯３１２に共通して用いられる。
【００１９】
連動制御装置４０Ａは、釦スイッチ１１１のプラス側に信号線１３−１により接続されるとともに、釦入力電源部１２１に信号線１３−２により接続される第１の電源リレーであるＡＫリレー４１と、応答灯１１２のマイナス側に信号線１３−３により接続されるとともに、点灯信号出力部１２４に信号線１３−４により接続される第１の点灯リレーであるＡＬリレー４２とを有する。信号線１３−３は、信号線１３−５により応答灯コモン端子１２６に接続されている。
【００２０】
また、連動制御装置４０Ａは、釦スイッチ３１１のプラス側に信号線３３−１により接続されるとともに、釦入力電源部３２１に信号線３３−２により接続される第２の電源リレーであるＢＫリレー４３と、応答灯３１２のマイナス側に信号線３３−３により接続されるとともに、点灯信号出力部３２４に信号線３３−４により接続される第２の点灯リレーであるＢＬリレー４４とを有する。信号線３３−３は、信号線３３−５により応答灯コモン端子３２６に接続されている。
【００２１】
ＡＫリレー４１は、釦スイッチ１１１が押下され釦入力電源部１２１から電力が供給されると駆動する。ＡＬリレー４２は、点灯信号出力部１２４から点灯信号が出力されると駆動する。ＢＫリレー４３は、釦スイッチ３１１が押下され釦入力電源部３２１から電力が供給されると駆動する。ＢＬリレー４４は、点灯信号出力部３２４からの点灯信号が出力されると駆動する。
【００２２】
また連動制御装置４０Ａは、釦スイッチ１１１のマイナス側に信号線１３−６により接続されるとともに、呼び登録部１２２に信号線１３−７により接続され、これらの信号線の間にＡＫＲ接点４１１およびＢＫＲ接点４３１が並列状態で設置されて構成された釦入力回路４５を有する。信号線１３−６は、釦入力コモン端子１２３に信号線１３−８により接続されている。
【００２３】
また連動制御装置４０Ａは、応答灯１１２のプラス側に信号線１３−９により接続されるとともに、応答灯電源部１２５に信号線１３−１０により接続され、これらの信号線の間にＡＬＲ接点４２１およびＢＬＲ接点４４１が並列状態で設置されて構成された点灯回路４６を有する。
【００２４】
また連動制御装置４０Ａは、釦スイッチ３１１のマイナス側に信号線３３−６により接続されるとともに、呼び登録部３２２に信号線３３−７により接続され、これらの信号線の間にＡＫＲ接点４１２およびＢＫＲ接点４３２が並列状態で設置されて構成された釦入力回路４７を有する。信号線３３−６は、釦入力コモン端子３２３に信号線３３−８により接続されている。
【００２５】
また連動制御装置４０Ａは、応答灯３１２のプラス側に信号線３３−９により接続されるとともに、応答灯電源部３２５に信号線３３−１０により接続され、これらの信号線の間にＡＬＲ接点４２２およびＢＬＲ接点４４２が並列状態で設置されて構成された点灯回路４８を有する。
【００２６】
〈第１実施形態による連動制御装置を利用したエレベータシステムの動作〉
次に、エレベータシステム１Ａの動作について、図３および図４のシーケンス図を参照して説明する。
【００２７】
まず、利用者により既設乗場釦１１が押下されたときには、図３に示すように、釦スイッチ１１１がＯＮ状態になり（Ｓ１）、釦スイッチ１１１に接続される信号線により、既設制御盤１２と連動制御装置４０Ａと既設乗場釦１１との間で形成される回路に、釦入力電源部１２１から電力が供給され導通される（Ｓ２）。そして、ＡＫリレー４１が駆動されるとともに釦入力回路４５のＡＫＲ接点４１１がＯＮ状態になり（Ｓ３）、釦スイッチ１１１がＯＮ状態になったことが既設制御盤１２の呼び登録部１２２で検知される。呼び登録部１２２で釦スイッチ１１１がＯＮ状態になったことが検知されると、当該階の既設エレベータ１０の乗場呼びが登録される（Ｓ４）。また、ＡＫリレー４１が駆動されると釦入力回路４７のＡＫＲ接点４１２もＯＮ状態になり（Ｓ３）、釦スイッチ１１１がＯＮ状態になったことが新設制御盤３２の呼び登録部３２２でも検知される。呼び登録部３２２で釦スイッチ１１１がＯＮ状態になったことが検知されると、当該階の新設エレベータ３０の乗場呼びが登録される（Ｓ５）。
【００２８】
また、呼び登録部１２２に乗場呼びが登録されると、点灯信号出力部１２４から点灯信号が出力されて（Ｓ６）、ＡＬリレー４２が駆動されるとともに点灯回路４６のＡＬＲ接点４２１がＯＮ状態になり（Ｓ７）、応答灯電源部１２５からの電力により応答灯１１２が点灯される（Ｓ８）。また、ＡＬリレー４２が駆動されると点灯回路４８のＡＬＲ接点４２２もＯＮ状態になり（Ｓ７）、応答灯電源部３２５からの電力により応答灯３１２が点灯される（Ｓ９）。
【００２９】
また、呼び登録部３２２に乗場呼びが登録されたことにより、点灯信号出力部３２４からも点灯信号が出力されて（Ｓ１０）、ＢＬリレー４４が駆動されるとともにＢＬＲ接点４４２、４４１もＯＮ状態になる（Ｓ１１）。
【００３０】
その後、既設制御盤１２の制御により既設エレベータ１０が乗場呼びに応答し、乗りかごが登録された階床に着床すると（Ｓ１２）、呼び登録部１２２に登録された乗場呼びが削除されて点灯信号出力部１２４からの点灯信号の出力が停止される。点灯信号の出力が停止されると、ＡＬリレー４２が開放されるとともにＡＬＲ接点４２１および４２２が開放される（Ｓ１３）。この時点では、まだＢＬリレー４４が駆動された状態でありＢＬＲ接点４４１および４４２がＯＮ状態であるため、点灯回路４６および４８は閉状態であり、応答灯１１２および３１２は点灯した状態が継続される。
【００３１】
そして、新設制御盤３２の制御により新設エレベータ３０が乗場呼びに応答し、乗りかごが登録された階床に着床すると（Ｓ１４）、呼び登録部３２２に登録された乗場呼びが削除されて点灯信号出力部３２４からの点灯信号の出力が停止される。点灯信号の出力が停止されると、ＢＬリレー４４が開放されるとともにＢＬＲ接点４４２および４４１が開放される（Ｓ１５）。ここで、ＡＬＲ接点４２１、４２２、およびＢＬＲ接点４４１、４４２がすべて開放されたため、点灯回路４６および４８が開放され、応答灯１１２、３１２ともに消灯される（Ｓ１６、Ｓ１７）。
【００３２】
また、利用者により新設乗場釦３１が押下されたときには、図４に示すように、釦スイッチ３１１がＯＮ状態になり（Ｓ２１）、釦スイッチ３１１に接続される信号線により、新設制御盤３２と連動制御装置４０Ａと新設乗場釦３１との間で形成される回路に、釦入力電源部３２１から電力が供給され導通される（Ｓ２２）。そして、ＢＫリレー４３が駆動されるとともに釦入力回路４７のＢＫＲ接点４３２がＯＮ状態になり（Ｓ２３）、釦スイッチ３１１がＯＮ状態になったことが新設制御盤３２の呼び登録部３２２で検知される。呼び登録部３２２で釦スイッチ３１１がＯＮ状態になったことが検知されると、当該階の新設エレベータ３０の乗場呼びが登録される（Ｓ２４）。また、ＢＫリレー４３が駆動されると釦入力回路４５のＢＫＲ接点４３１もＯＮ状態になり（Ｓ２３）、釦スイッチ３１１がＯＮ状態になったことが既設制御盤１２の呼び登録部１２２でも検知される。呼び登録部１２２で釦スイッチ３１１がＯＮ状態になったことが検知されると、当該階の既設エレベータ１０の乗場呼びが登録される（Ｓ２５）。
【００３３】
また、呼び登録部３２２に乗場呼びが登録されると、点灯信号出力部３２４から点灯信号が出力されて（Ｓ２６）、ＢＬリレー４４が駆動されるとともに点灯回路４８のＢＬＲ接点４４２がＯＮ状態になり（Ｓ２７）、応答灯電源部３２５からの電力により応答灯３１２が点灯される（Ｓ２８）。また、ＢＬリレー４４が駆動されると点灯回路４６のＢＬＲ接点４４１もＯＮ状態になり（Ｓ２７）、応答灯電源部１２５からの電力により応答灯１１２が点灯される（Ｓ２９）。
【００３４】
また、呼び登録部１２２に乗場呼びが登録されたことにより、点灯信号出力部１２４からも点灯信号が出力されて（Ｓ３０）、ＡＬリレー４１が駆動されるとともにＡＬＲ接点４２１、４２２もＯＮ状態になる（Ｓ３１）。
【００３５】
その後、新設制御盤３２の制御により新設エレベータ３０が乗場呼びに応答し、乗りかごが登録された階床に着床すると（Ｓ３２）、呼び登録部３２２に登録された乗場呼びが削除されて点灯信号出力部３２４からの点灯信号の出力が停止される。点灯信号の出力が停止されると、ＢＬリレー４４が開放されるとともにＢＬＲ接点４４１および４４２が開放される（Ｓ３３）。この時点では、まだＡＬリレー４２が駆動された状態でありＡＬＲ接点４２１および４２２がＯＮ状態であるため、点灯回路４６および４８は閉状態であり、応答灯１１２および３１２は点灯した状態が継続される。
【００３６】
そして、既設制御盤１２の制御により既設エレベータ１０が乗場呼びに応答し、乗りかごが登録された階床に着床すると（Ｓ３４）、呼び登録部１２２に登録された乗場呼びが削除されて点灯信号出力部１２４からの点灯信号の出力が停止される。点灯信号の出力が停止されると、ＡＬリレー４２が開放されるとともにＡＬＲ接点４２２および４２１が開放される（Ｓ３５）。ここで、ＡＬＲ接点４２１、４２２、およびＢＬＲ接点４４１、４４２がすべて開放されたため、点灯回路４６および４８が開放され、応答灯１１２、３１２ともに消灯される（Ｓ３６、Ｓ３７）。
【００３７】
以上の第１実施形態によれば、建物内に、リニューアル工事前の既設エレベータとリニューアル工事済みの新設エレベータとが混在した状態のときに、既設エレベータの乗場釦を押下しても、新設エレベータの乗場釦を押下しても、どちらの場合も既設エレベータおよび新設エレベータの双方で乗場呼びが発生して応答する。これにより、利用者はいずれか早く到着した乗りかごを利用することができる。また、既設エレベータと新設エレベータとの双方において、乗場呼びに応答して乗場呼び発生階に乗りかごが着床した後に双方の乗場釦の応答灯が消灯する。これにより、既設エレベータと新設エレベータとのいずれか一方のみが応答済みで他方の乗りかごがまだ到着していないときに、乗場にいる他の利用者に乗場呼びが登録されていることを認識させることができ、無駄な乗場呼びの発生を防ぐことができる。
【００３８】
《第２実施形態》
〈第２実施形態による連動制御装置を利用したエレベータシステムの構成〉
本発明の第２実施形態による連動制御装置を利用したエレベータシステム１Ｂの構成について、図５を参照して説明する。
【００３９】
本実施形態においてエレベータシステム１Ｂは、連動制御装置４０Ａに換えて連動制御装置４０Ｂを備える他は、第１実施形態において説明したエレベータシステム１Ａの構成と同様であるため、同一機能を有する部分の詳細な説明は省略する。
【００４０】
本実施形態においては、既設乗場釦１１の応答灯１１２のプラス側と既設制御盤１２の応答灯電源部１２５とが信号線１３−１１により接続され、応答灯１１２のマイナス側と点灯信号出力部１２４とが信号線１３−１２により接続されている。信号線１３−１２は、応答灯コモン端子１２６に信号線１３−１３により接続されている。
【００４１】
また新設乗場釦３１の応答灯３１２のプラス側と新設制御盤３２の応答灯電源部３２５とが信号線３３−１１により接続され、応答灯３１２のマイナス側と点灯信号出力部３２４とが信号線３３−１２により接続されている。信号線３３−１２は、応答灯コモン端子３２６に信号線３３−１３により接続されている。
【００４２】
連動制御装置４０Ｂは、第１実施形態で説明した場合と同様に、既設乗場釦１１および既設制御盤１２に接続された、ＡＫリレー４１および釦入力回路４５と、新設乗場釦３１および新設制御盤３２に接続された、ＢＫリレー４３および釦入力回路４７とを有する。
【００４３】
〈第２実施形態による連動制御装置を利用したエレベータシステムの動作〉
次に、エレベータシステム１Ｂの動作について、図６のシーケンス図を参照して説明する。図６において、ステップＳ４１〜Ｓ４５で実行される処理は、第１実施形態において説明した図３のステップＳ１〜Ｓ５の処理と同様であるため、詳細な説明な省略する。
【００４４】
呼び登録部１２２に乗場呼びが登録されると、点灯信号出力部１２４から点灯信号が出力されて（Ｓ４６）、応答灯電源部１２５からの電力により応答灯１１２が点灯される（Ｓ４７）。
【００４５】
また、呼び登録部３２２に乗場呼びが登録されたことにより、点灯信号出力部３２４からも点灯信号が出力されて（Ｓ４８）、応答灯電源部３２５からの電力により応答灯３１２が点灯される（Ｓ４９）。
【００４６】
その後、既設制御盤１２の制御により既設エレベータが乗場呼びに応答し、乗りかごが登録された階床に着床すると（Ｓ５０）、呼び登録部１２２に登録された乗場呼びが削除されて点灯信号出力部１２４からの点灯信号の出力が停止される。点灯信号の出力が停止されると、応答灯１１２が消灯される（Ｓ５１）。
【００４７】
そして、新設制御盤３２の制御により新設エレベータが乗場呼びに応答し、乗りかごが登録された階床に着床すると（Ｓ５２）、呼び登録部３２２に登録された乗場呼びが削除されて点灯信号出力部３２４からの点灯信号の出力が停止される。点灯信号の出力が停止されると、応答灯３１２が消灯される（Ｓ５３）。
【００４８】
また、利用者により新設乗場釦３１が押下されたときにも、既設制御盤１２と新設制御盤３２との双方で乗場呼びが登録されて応答灯１１２および応答灯３１２が点灯される。その後、乗場呼びに応答して、既設エレベータ１０の乗りかごが登録された階床に着床すると応答灯１１２が消灯され、新設エレベータ３０の乗りかごが登録された階床に着床すると応答灯３１２が消灯される。
【００４９】
以上の第２実施形態によれば、建物内に、リニューアル工事前の既設エレベータとリニューアル工事済みの新設エレベータとが混在した状態のときに、既設エレベータの乗場釦を押下しても、新設エレベータの乗場釦を押下しても、どちらの場合も既設エレベータおよび新設エレベータの双方で乗場呼びが発生して応答する。これにより、利用者はいずれか早く到着した乗りかごを利用することができる。また、応答済みのエレベータについては対応する乗場釦の応答灯を消灯するため、既設エレベータと新設エレベータとのいずれか一方のみが応答済みであり、他方が応答中でまだ乗りかごが到着していないときに、乗場にいる他の利用者が応答中のエレベータを認識することができる。これにより、乗場の利用者は応答中のエレベータの近くで待機することができ、乗りかごが到着したときの乗り込み時間を短縮させることができる。
【００５０】
《第３実施形態》
〈第３実施形態による連動制御装置を利用したエレベータシステムの構成〉
本発明の第３実施形態による連動制御装置を利用したエレベータシステム１Ｃの構成について、図７を参照して説明する。
【００５１】
本実施形態においてエレベータシステム１Ｃは、連動制御装置４０Ａに換えて連動制御装置４０Ｃを備える他は、第１実施形態において説明したエレベータシステム１Ａの構成と同様であるため、同一機能を有する部分の詳細な説明は省略する。
【００５２】
本実施形態においては、既設乗場釦１１の釦スイッチ１１１のプラス側と既設制御盤１２の釦入力電源部１２１とが信号線１３−１４により接続され、釦スイッチ１１１のマイナス側と呼び登録部１２２とが信号線１３−１５により接続されている。信号線１３−１５は、釦入力コモン端子１２３に信号線１３−１６により接続されている。
【００５３】
また新設乗場釦３１の釦スイッチ３１１のプラス側と新設制御盤３２の釦入力電源部３２１とが信号線３３−１４により接続され、釦スイッチ３１１のマイナス側と呼び登録部３２２とが信号線３３−１５により接続されている。信号線３３−１５は、釦入力コモン端子３２３に信号線３３−１６により接続されている。
【００５４】
連動制御装置４０Ｃは、第１実施形態で説明した場合と同様に、既設乗場釦１１および既設制御盤１２に接続された、ＡＬリレー４２および点灯回路４６と、新設乗場釦３１および新設制御盤３２に接続された、ＢＬリレー４４および点灯回路４８とを有する。
【００５５】
〈第３実施形態による連動制御装置を利用したエレベータシステムの動作〉
次に、エレベータシステム１Ｃの動作について、図８のシーケンス図を参照して説明する。
【００５６】
まず、利用者により既設乗場釦１１が押下されたときには、釦スイッチ１１１がＯＮ状態になり（Ｓ６１）、釦スイッチ１１１に接続される信号線により、既設制御盤１２と既設乗場釦１１との間で形成される回路に、釦入力電源部１２１から電力が供給され導通される（Ｓ６２）。そして、釦スイッチ１１１がＯＮ状態になったことが既設制御盤１２の呼び登録部１２２で検知される。呼び登録部１２２で釦スイッチ１１１がＯＮ状態になったことが検知されると、当該階の既設エレベータ１０の乗場呼びが登録される（Ｓ６３）。
【００５７】
呼び登録部１２２に乗場呼びが登録されると、点灯信号出力部１２４から点灯信号が出力されて（Ｓ６４）、ＡＬリレー４２が駆動されるとともに点灯回路４６のＡＬＲ接点４２１がＯＮ状態になり（Ｓ６５）、応答灯電源部１２５からの電力により応答灯１１２が点灯される（Ｓ６６）。また、ＡＬリレー４２が駆動されると点灯回路４８のＡＬＲ接点４２２もＯＮ状態になり（Ｓ６５）、応答灯電源部３２５からの電力により応答灯３１２が点灯される（Ｓ６７）。
【００５８】
その後、既設制御盤１２の制御により既設エレベータ１０が乗場呼びに応答し、乗りかごが登録された階床に着床すると（Ｓ６８）、呼び登録部１２２に登録された乗場呼びが削除されて点灯信号出力部１２４からの点灯信号の出力が停止される。点灯信号の出力が停止されると、ＡＬリレー４２が開放されるとともにＡＬＲ接点４２１および４２２が開放され、応答灯１１２、３１２ともに消灯される（Ｓ７０、Ｓ７１）。
【００５９】
また、利用者により新設乗場釦３１が押下されたときには、新設制御盤３２のみに乗場呼びが登録されるとともに既設乗場釦１１と新設乗場釦３１との双方の応答灯１１２、３１２が点灯され、その後、乗場呼びに応答して、新設エレベータの乗りかごが登録された階床に着床したときに、双方の応答灯１１２、３１２が消灯される。
【００６０】
以上の第３実施形態によれば、建物内に、リニューアル工事前の既設エレベータとリニューアル工事済みの新設エレベータとが混在した状態のときに、既設エレベータと新設エレベータとのいずれかにおいて乗場呼びが発生しているときには双方の乗場釦の応答灯を点灯させるため、同一階で同時に２つの乗場呼びが発生して運転効率が低下することを避けることができる。
【００６１】
《第４実施形態》
〈第４実施形態による連動制御装置を利用したエレベータシステムの構成〉
本発明の第４実施形態による連動制御装置を利用したエレベータシステム１Ｄの構成について、図９を参照して説明する。
【００６２】
図９のエレベータシステム１Ｄは、第１実施形態において説明したエレベータシステム１Ａと同様の構成を備え、１階〜ｎ階の各階床に設置された連動制御装置４０Ａ−１〜４０Ａ−ｎがそれぞれ、既設制御盤１２および新設制御盤３２に接続されており、さらに、連動制御装置４０Ａ−１〜４０Ａ−ｎと既設制御盤１２との間には第１の切替装置１７が設置され、連動制御装置４０Ａ−１〜４０Ａ−ｎと新設制御盤３２との間には第２の切替装置３７が設置されている。
【００６３】
切替装置１７は、各連動制御装置４０Ａ−１〜４０Ａ−ｎと既設制御盤１２との間を接続する信号線それぞれの接続／切断を切り替えるためのｍ個の中継コネクタ１７−１〜１７−ｍで構成され、切替装置３７は、各連動制御装置４０Ａ−１〜４０Ａ−ｎと新設制御盤３２とのを接続する信号線それぞれの接続／切断を切り替えるためのｐ個の中継コネクタ３７−１〜３７−ｐで構成される。これらの切替装置１７、３７は、建物内のエレベータ機械室の中継ボックス等に設置される。
【００６４】
このように構成されたエレベータシステム１Ｄにおいて、既設エレベータ１０の応答階と新設エレベータ３０の応答階とを予め分担して設定しておき、切替装置１７内の中継コネクタ１７−１〜１７−ｍのうち、既設エレベータ１０に応答させる階床に対応する連動制御装置との間の中継コネクタを挿して信号線を接続させ、既設エレベータ１０に応答させない階床に対応する連動制御装置との間の中継コネクタを抜いて信号線を切断させる。また、切替装置３７内の中継コネクタ３７−１〜３７−ｐのうち、新設エレベータ３０に応答させる階床に対応する連動制御装置との間の中継コネクタを挿して信号線を接続させ、新設エレベータ３０に応答させない階床に対応する連動制御装置との間の中継コネクタを抜いて信号線を切断させる。
【００６５】
既設エレベータ１０の応答階および新設エレベータ３０の応答階の設定の一例を、図１０に示す。図１０の例では、１２階建ての建物において、既設エレベータ１０の応答階を１階〜８階に設定し、新設エレベータ３０の応答階を１階および９階〜１２階に設定している。このように設定した場合、切替装置１７内の中継コネクタのうち、１階の連動制御装置４０Ａ−１と既設制御盤１２との間の信号線（例えば、図１の信号線１３−２、１３−４、１３−５、１３−７、１３−８、および信号線１３−１０）、および連動制御装置４０Ａ−１と新設制御盤３２との間の信号線（例えば、図１の信号線３３−２、３３−４、３３−５、３３−７、３３−８、および３３−１０）それぞれに設置された中継コネクタを挿して接続させる。また、２階〜８階の連動制御装置４０Ａ−２〜４０Ａ−８と既設制御盤１２との間の信号線それぞれに設置された中継コネクタを挿して接続させ、２階〜８階の連動制御装置４０Ａ−２〜４０Ａ−８と新設制御盤３２との間の信号線それぞれに設置された中継コネクタを抜いて切断させる。また、９階〜１２階の連動制御装置４０Ａ−９〜４０Ａ−１２と既設制御盤１２との間の信号線それぞれに設置された中継コネクタを抜いて切断させ、９階〜１２階の連動制御装置４０Ａ−９〜４０Ａ−１２と新設制御盤３２との間の信号線それぞれに設置された中継コネクタを挿して接続させる。
【００６６】
このように切替装置１７、３７内の中継コネクタを応答階の設定に基づいて適宜抜き挿しすることにより、既設エレベータ１０、新設エレベータ３０それぞれの階床ごとの乗場釦の操作有効／無効の設定を、時間帯ごとや、リニューアル工事の進捗状況ごと等により簡易に変更することができる。そのため、応答しない階の乗場釦を囲いで隠す必要がなく、管理者の手間を低減させることができるとともに、利用者の使い勝手の悪化を防止することができる。
【００６７】
上述した第５実施形態において、切替装置を、中継コネクタに換えて、スイッチまたは端子台で構成し、これらを用いて各連動制御装置４０Ａ−１〜４０Ａ−ｎと既設制御盤１２、新設制御盤３２との間の信号線の接続／切断を切り替えるようにしてもよい。または、切替装置内のスイッチ等をタイマでＯＮ／ＯＦＦする接点装置で構成し、予め設定された時間帯ごとや季節ごとに自動で応答階の分担設定を変更するようにしてもよい。
【００６８】
上述した第１実施形態〜第５実施形態によれば、群管理される複数のエレベータのリニューアル工事中に、既設エレベータと新設エレベータとが混在した状態で運用するときにも、既設乗場釦および新設乗場釦と、既設制御盤および新設制御盤との間に、簡易な信号線接続作業で連動制御装置を挿入するのみで、既設エレベータと新設エレベータとを連動させて運用することができる。
【００６９】
上述した第１実施形態〜第５実施形態においては、既設乗場釦および新設乗場釦の操作の検知および応答灯の点灯制御を、機械室に設置された既設制御盤および新設制御盤で行う場合について説明したが、昇降路に既設乗場釦制御装置および新設乗場釦制御装置を設置し、これらの装置で行うようにしてもよい。この場合、既設乗場釦および新設乗場釦と、既設乗場釦制御装置および新設乗場釦制御装置との間に連動制御装置を設置することで、上述した実施形態と同様の処理を実行することができる。
【００７０】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００７１】
１Ａ，１Ｂ，１Ｃ，１Ｄ…エレベータシステム、１０…既設エレベータ、１１…既設乗場釦、１２…既設制御盤、１３−１〜３３−１６、３３−１〜３３−１６…信号線、１７…切替装置、２０…工事中のエレベータ、３０…新設エレベータ、３１…新設乗場釦、３２…新設制御盤、３７…切替装置、４０Ａ，４０Ｂ，４０Ｃ，４０Ｄ，４０Ａ−１〜４０Ａ−ｎ…連動制御装置、４１…ＡＫリレー（第１の電源リレー）、４２…ＡＬリレー（第１の点灯リレー）、４３…ＢＫリレー（第２の電源リレー）、４４…ＢＬリレー（第２の点灯リレー）、４５，４７…釦入力回路、４６，４８…点灯回路、１１１，３１１…釦スイッチ、１１２，３１２…応答灯、１２１，３２１…釦入力電源部、１２２，３２２…呼び登録部、１２３，３２３…釦入力コモン端子、１２４，３２４…点灯信号出力部、１２５，３２５…応答灯電源部、１２６，３２６…応答灯コモン端子、４１１，４１２…ＡＫＲ接点、４２１，４２２…ＡＬＲ接点、４３１，４３２…ＢＫＲ接点、４４１，４４２…ＢＬＲ接点
【図１】
2016222407.tif 000003
【図２】
2016222407.tif 000004
【図３】
2016222407.tif 000005
【図４】
2016222407.tif 000006
【図５】
2016222407.tif 000007
【図６】
2016222407.tif 000008
【図７】
2016222407.tif 000009
【図８】
2016222407.tif 000010
【図９】
2016222407.tif 000011
【図１０】
2016222407.tif 000012
【図１１】
2016222407.tif 000013
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
建物内の複数台のエレベータの中の、リニューアル工事前の既設エレベータが有する既設制御盤および既設乗場釦と、リニューアル工事済みの新設エレベータが有する新設制御盤および新設乗場釦とに接続されたエレベータの連動制御装置において、
前記既設乗場釦が押下されると駆動する第１の電源リレーと、
前記新設乗場釦が押下されると駆動する第２の電源リレーと、
前記第１の電源リレーまたは前記第２の電源リレーが駆動されると、前記既設制御盤と導通させる第１の釦入力回路と、
前記第１の電源リレーまたは前記第２の電源リレーが駆動されると、前記新設制御盤と導通させる第２の釦入力回路と、
前記第１の釦入力回路により前記既設制御盤と導通したことにより前記既設制御盤に乗場呼びが登録されて応答灯点灯信号が出力されると駆動し、登録された乗場呼びへの応答が行われたことにより当該応答灯点灯信号の出力が停止されると開放する第１の点灯リレーと、
前記第２の釦入力回路により前記新設制御盤と導通したことにより前記新設制御盤に乗場呼びが登録されて応答灯点灯信号が出力されると駆動し、登録された乗場呼びへの応答が行われたことにより当該応答灯点灯信号の出力が停止されると開放する第２の点灯リレーと、
前記第１の点灯リレーが駆動されると、前記既設乗場釦に設置された応答灯を点灯させ、前記第１の点灯リレーおよび前記第２の点灯リレーが開放されると消灯させる第１の点灯回路と、
前記第２の点灯リレーが駆動されると、前記新設乗場釦に設置された応答灯を点灯させ、前記第１の点灯リレーおよび前記第２の点灯リレーが開放されると消灯させる第２の点灯回路と
を備えることを特徴とするエレベータの連動制御装置。
【請求項２】
前記既設乗場釦、前記新設乗場釦、および前記連動制御装置は、前記建物内の階床ごとに設置され、
前記既設制御盤と、各階床の前記既設乗場釦および前記連動制御装置とを接続する信号線それぞれの接続／切断を切り替える第１の切替装置と、
前記新設制御盤と、各階床の前記新設乗場釦および前記連動制御装置とを接続する信号線それぞれの接続／切断を切り替える第２の切替装置と
をさらに有することを特徴とする請求項１に記載のエレベータの連動制御装置。
【請求項３】
建物内の複数台のエレベータの中の、リニューアル工事前の既設エレベータが有する既設制御盤および既設乗場釦と、リニューアル工事済みの新設エレベータが有する新設制御盤および新設乗場釦とに接続されたエレベータの連動制御装置が、
前記既設乗場釦が押下されると駆動する第１の電源リレー、または、前記新設乗場釦が押下されると駆動する第２の電源リレーが駆動されると、前記既設制御盤および前記新設制御盤と導通させ、
前記既設制御盤と導通したことにより前記既設制御盤に乗場呼びが登録され応答灯点灯信号が出力されて第１の点灯リレーが駆動されると、前記既設乗場釦に設置された応答灯を点灯させ、前記新設制御盤と導通したことにより前記新設制御盤に乗場呼びが登録され応答灯点灯信号が出力されて第２の点灯リレーが駆動されると、前記新設乗場釦に設置された応答灯を点灯させ、
前記既設制御盤に登録された乗場呼びへの応答が行われたことにより前記既設制御盤からの応答灯点灯信号の出力が停止されて前記第１の点灯リレーが開放され、且つ前記新設制御盤に登録された乗場呼びへの応答が行われたことにより前記新設制御盤からの応答灯点灯信号の出力が停止されて前記第２の点灯リレーが開放されると、前記既設乗場釦に設置された応答灯および前記新設乗場釦に設置された応答灯を消灯させる
ことを特徴とするエレベータの連動制御方法。
【手続補正２】
【補正対象書類名】明細書
【補正対象項目名】００１０
【補正方法】変更
【補正の内容】
【００１０】
上記目的を達成するための実施形態によればエレベータの連動制御装置は、既設乗場釦が押下されると駆動する第１の電源リレーと、新設乗場釦が押下されると駆動する第２の電源リレーと、第１の釦入力回路と、第２の釦入力回路と、第１の点灯リレーと、第２の点灯リレーと、第１の点灯回路と、第２の点灯回路とを備える。第１の釦入力回路は、第１の電源リレーまたは第２の電源リレーが駆動されると既設制御盤と導通させる。第２の釦入力信号回路は、第１の電源リレーまたは第２の電源リレーが駆動されると新設制御盤と導通させる。第１の点灯リレーは、第１の釦入力回路により既設制御盤と導通したことにより既設制御盤に乗場呼びが登録されて応答灯点灯信号が出力されると駆動する。第２の点灯リレーは、第２の釦入力回路により新設制御盤と導通したことにより新設制御盤に乗場呼びが登録されて応答灯点灯信号が出力されると駆動する。第１の点灯回路は、第１の点灯リレーが駆動されると既設乗場釦に設置された応答灯を点灯させ、第１の点灯リレーおよび第２の点灯リレーが開放されると消灯させる。第２の点灯回路は、第２の点灯リレーが駆動されると新設乗場釦に設置された応答灯を点灯させ、第１の点灯リレーおよび第２の点灯リレーが開放されると消灯させる。